(57)【要約】      （修正有）【課題】ＱＲコードを用いて簡便に種々の消費材である製品の取扱説明書を表示・閲覧できる管理システムを提供する。【解決手段】製品の取扱説明書のダウンロードが出来るメーカー側Ｗｅｂサイトにアクセスする内容を表示したＱＲコードが、予め製品本体に印刷又は貼付けられており、携帯端末等で該ＱＲコードを読み取る工程の後、メーカー側Ｗｅｂサイトにアクセスして取扱説明書のファイルを携帯端末等の記憶媒体にダウンロードする工程が有り、そのまま取扱説明書の内容を携帯端末等の表示部で表示・閲覧又は記憶媒体の内容が読み取り可能な外部入力装置が接続されたパソコンやＴＶ画面等の表示装置でダウンロードした取扱説明書の内容を表示・閲覧させる事が出来る。【選択図】図１
2007310853.tif 000002
【特許請求の範囲】
【請求項１】
製品の取扱説明書のダウンロードが出来るメーカー側Ｗｅｂサイトにアクセスする内容を表示したＱＲコードが、予め製品本体に印刷又は貼付けられており、携帯端末等で該ＱＲコードを読み取る工程の後、メーカー側Ｗｅｂサイトにアクセスして取扱説明書のファイルを携帯端末等の記憶媒体にダウンロードする工程が有り、そのまま取扱説明書の内容を携帯端末等の表示部で表示・閲覧又は記憶媒体の内容が読み取り可能な外部入力装置が接続されたパソコンやＴＶ画面等の表示装置でダウンロードした取扱説明書の内容を表示・閲覧させる事を特徴とするＱＲコードを用いた取扱説明書の管理システム。
【発明の詳細な説明】
【技術分野】
【０００１】  本発明は、取扱説明書の管理システムに関し、ＱＲコードを用いて簡便に種々の消費材である製品の取扱説明書を表示・閲覧出来る事を特徴とするＱＲコードを用いた取扱説明書の管理システムに関する。
【背景技術】
【０００２】  最近、インターネットを用いた情報の提供や閲覧、更には商材の管理等をＱＲコード、いわゆる２次元コードで利用している。
なおこの商材や広告等に印刷されたＱＲコードは通常、携帯電話で撮影するだけでメーカー側のＷｅｂサイトに即座にアクセス出来るものとして知られている。【０００３】  一方で、ユーザーが購入する種々の消費材の製品、例えば電化製品等においては、購入時に紙媒体の取扱説明書が付属している。
【発明の開示】
【発明が解決しようとする課題】
【０００４】  しかしながら、ＱＲコードでメーカー側のＷｅｂサイトにたどり着いて得られる情報は、商材のカタログである場合等が多かった。
一方、例えば、ビデオレコーダーのような電化製品は、購入時に付属している紙媒体の取扱説明書を見て、設置したり、操作・使用方法を理解しているが、購入側には様々な種類の電化製品に付属する紙媒体の取扱説明書が有り、その大きさ、厚み等も千差万別のため、保管、管理にも手間がかかり、場合によっては取扱説明書を紛失や破損してしまう場合も多々あった。なお、紛失してしまうと、例えばメーカーへ料金を支払って取扱説明書を送付してもらわなくてはならないため、費用、時間等の手間のかかるものとなっていた。
【課題を解決するための手段】
【０００５】  上記課題を解決するために本発明は、製品の取扱説明書のダウンロードが出来るメーカー側Ｗｅｂサイトにアクセスする内容を表示したＱＲコードが、予め製品本体に印刷又は貼付けられており、携帯端末等で該ＱＲコードを読み取る工程の後、メーカー側Ｗｅｂサイトにアクセスして取扱説明書のファイルを携帯端末等の記憶媒体にダウンロードする工程が有り、そのまま取扱説明書の内容を携帯端末等の表示部で表示・閲覧又は記憶媒体の内容が読み取り可能な外部入力装置が接続されたパソコンやＴＶ画面等の表示装置でダウンロードした取扱説明書の内容を表示・閲覧させる事が出来るようにしておく。
本発明は以上のような構成からなるＱＲコードを用いた取扱説明書の管理システムである。
【発明の効果】
【０００６】  本発明のＱＲコードを用いた取扱説明書の管理システムは、以上のような構成であるため、ユーザーが購入した製品本体に印刷又は貼付けられているＱＲコードを携帯端末等で読み取るだけで、自動的に製品の取扱説明書のダウンロードが出来るメーカー側Ｗｅｂサイトにアクセスし、取扱説明書のファイルを携帯端末等の記憶媒体に簡単にダウンロード出来るものであり、そのまま取扱説明書の内容を携帯端末等の表示部で表示・閲覧しても良く、又は、記憶媒体の内容が読み取り可能な外部入力装置が接続されたパソコンやＴＶ画面等の表示装置でダウンロードした取扱説明書を表示・閲覧しても良いものとなる。
その結果、付属の紙媒体の取扱説明書を紛失しても、メーカーへ料金を支払って送付してもらう際の、費用、時間等の手間もなくなる。
【発明を実施するための最良の形態】
【０００７】  本発明でいう製品とは、一般の消費材のうち、電化製品のように、取扱説明書が購入時に紙媒体として付属するものを指すが、それ以外の消費材、例えば車、家具、楽器等、なんら限定されるものではない。
又、ＱＲコード（商標登録）は、２次元コードとして知られており、携帯端末等のコード読み取り器で読み取ると、ＱＲコードに含まれるＷｅｂサイトアドレスのホームページへ自動的にアクセス出来るものである。
なお、この携帯端末は、携帯電話を用いることが好ましい。
取扱説明書のファイルを携帯端末等の記憶媒体にダウンロードする工程における記憶媒体としては、メモリーカードやＳＤカード等を用いる事が好ましいが、記憶方法やその手段、カードの種類等においてなんら限定されるものではない。
又、ダウンロードする取扱説明書のファイル形式も特に限定される事はなく、例えばＰＤＦファイル形式等があげられる。
パソコンやＴＶ画面等の表示装置に接続される記憶媒体の内容の読み取り可能な外部入力装置は、該外部入力装置自身を予め、パソコン本体やＴＶ画面本体に内蔵させておいても良く、特にＴＶ画面だとディスプレイに接続されるチューナーやビデオレコーダーの本体の一部分に設けておいて、ワンタッチで記憶媒体を脱着出来るようにするのが好ましい。
ディスプレイに表示された取扱説明書のファイルは、リモコンやキーボード等の手段によって、所望のページを表示させる事が好ましいが、その方法はなんら限定されるものではない。
またダウンロードの際に、メーカー側で例えば課金するとか、アクセスしてきたユーザー情報を蓄積したりする事により、有益な情報が得られたり、分析して、商品開発や管理に役立てる事も出来る優れた管理システムにもなりうる。
【実施例】
【０００８】  以下、本発明の一実施例を図１で説明する。なお、図１はＱＲコードを用いた取扱説明書の管理システムを説明するためのフローチャート図である。【０００９】  ビデオレコーダー（１０）の側面に、該ビデオレコーダーの取扱説明書のダウンロードが出来るメーカー側Ｗｅｂサイト（３）にアクセス（２）する内容を表示したＱＲコード（１１）を予め印刷しておき、該ＱＲコード（１１）を購入者であるユーザーが携帯電話にて読み取る（１）。そして該Ｗｅｂサイトへアクセス（２）を行い、携帯電話に付属しているメモリーカード等の記憶媒体にビデオレコーダーの取扱説明書をダウンロード（４）する。
その工程後、携帯電話のディスプレイ画面で、ビデオレコーダーの取扱説明書をそのまま表示・閲覧（５）しても良い。
もしくは、携帯電話から取扱説明書のファイルの入ったメモリーカード等の記憶媒体を取り外し、メモリーカードの読み取り可能な外部入力装置にメモリーカードを装着した後、該外部入力装置が接続されたパソコンやＴＶ画面等でビデオレコーダーの取扱説明書のファイル内容を表示・閲覧（６）しても良い。
【産業上の利用可能性】
【００１０】  紙媒体の取扱説明書が無くても、ＱＲコードを読み取るだけで簡単に携帯端末やパソコン、ＴＶ画面等の表示部で簡便に取扱説明書を表示・閲覧する事が出来る。
【図面の簡単な説明】
【００１１】
【図１】本発明のＱＲコードを用いた取扱説明書の管理システムを説明するためのフローチャートである。
【符号の説明】
１  製品のＱＲコードの読み取り    ２  アクセス
３  製品の取扱説明書のダウンロードが出来るメーカー側Ｗｅｂサイト
４  記憶媒体に取扱説明書をダウンロード
５  携帯端末等でそのまま表示・閲覧
６  記憶媒体の読み取り可能な外部入力装置が接続されたパソコンやＴＶ画面で表示・閲覧
１０  ビデオレコーダー    １１  ＱＲコード
【図１】
2007310853.tif 000003